(57)【特許請求の範囲】
【請求項１】
遊技盤取付枠の前面に透明板挿入保持枠が開閉可能に取り付けられ、該透明板挿入保持枠の前面側の周囲を飾る前面装飾枠が該透明板挿入保持枠の前面側に設けられてなるパチンコ遊技機において、
該透明板挿入保持枠の前面側に前面装飾枠が開閉可能に配設され、該前面装飾枠には少なくとも透光性を有する透光透明部が周縁部に設けられると共に、該透光透明部の内側に開口部が設けられ、該開口部と略同じ形状の透明部の周囲に装飾部を形成した透明板部材が、前記透明板挿入保持枠に着脱可能に挿入され、遊技者が該前面装飾枠の透光透明部を通して透明板部材の装飾部を視認可能に構成されていることを特徴とするパチンコ遊技機。
【請求項２】
遊技盤取付枠の前面に透明板挿入保持枠が開閉可能に取り付けられ、該透明板挿入保持枠の前面側の周囲を飾る前面装飾枠が該透明板挿入保持枠の前面側に設けられてなるパチンコ遊技機において、
該透明板挿入保持枠の前面側に前面装飾枠が一体的に取り付けられ、該前面装飾枠には少なくとも透光性を有する透光透明部が周縁部に設けられると共に、該透光透明部の内側に開口部が設けられ、該開口部と略同じ形状の透明部の周囲に装飾部を形成した透明板部材が、前記透明板挿入保持枠に着脱可能に挿入され、遊技者が該前面装飾枠の透光透明部を通して透明板部材の装飾部を視認可能に構成されていることを特徴とするパチンコ遊技機。
【発明の詳細な説明】
【０００１】
【発明の属する技術分野】
本発明は、パチンコ遊技機に関し、特に、パチンコ遊技機の前面の透明板の周囲を装飾する構造のパチンコ遊技機に関する。
【０００２】
【従来の技術】
パチンコ遊技機は、通常、木枠の前面に、前枠と呼ばれ遊技盤を取り付けるための遊技盤取付枠がヒンジを介して開閉可能に取り付けられ、その遊技盤取付枠の前面に、遊技盤の前面を覆うように、ガラス板を装着したガラス枠がヒンジを介して開閉可能に取り付けられている。
【０００３】
【発明が解決しようとする課題】
近年、パチンコ遊技機では、その前面装飾を目立たせる目的で、ガラス枠の前面周縁部に多彩な色等で装飾した合成樹脂製のガラス板装飾枠を設けた構造のパチンコ遊技機が開発されている。パチンコホールでは、遊技者の興味を引き集客性を向上させるために、通常、一定期間で新台入替を行なうが、パチンコ遊技機の遊技盤が使用に伴って汚れ易いこと、及びパチンコ遊技機全体を新たなパチンコ遊技機に交換するには多くの費用が必要なことから、通常の新台入替は、遊技盤のみを交換することにより、行なわれる。
【０００４】
このため、合成樹脂製のガラス板装飾枠を前面に有したパチンコ遊技機であっても、パチンコホールが新台入替えを行なう際には、遊技盤を新しいものと交換するのみで、ガラス板装飾枠は、従前のものを使用することになるから、遊技者には、新台入替の目新しさを感じさせにくいという問題があった。
【０００５】
本発明は、上記の点に鑑みてなされたもので、透明板の周囲を装飾する装飾部を、簡単に低コストで新しくすることができるパチンコ遊技機を提供することを目的とする。
【０００６】
【課題を解決するための手段】
上記目的を達成するために、本発明の請求項１のパチンコ遊技機は、遊技盤取付枠の前面に透明板挿入保持枠が開閉可能に取り付けられ、透明板挿入保持枠の前面側の周囲を飾る前面装飾枠が透明板挿入保持枠の前面側に設けられてなるパチンコ遊技機において、透明板挿入保持枠の前面側に前面装飾枠が開閉可能に配設され、前面装飾枠には少なくとも透光性を有する透光透明部が周縁部に設けられると共に、透光透明部の内側に開口部が設けられ、開口部と略同じ形状の透明部の周囲に装飾部を形成した透明板部材が、透明板挿入保持枠に着脱可能に挿入され、遊技者が前面装飾枠の透光透明部を通して透明板部材の装飾部を視認可能に構成されていることを特徴とする。
【０００７】
また、請求項２のパチンコ遊技機は、遊技盤取付枠の前面に透明板挿入保持枠が開閉可能に取り付けられ、透明板挿入保持枠の前面側の周囲を飾る前面装飾枠が透明板挿入保持枠の前面側に設けられてなるパチンコ遊技機において、透明板挿入保持枠の前面側に前面装飾枠が一体的に取り付けられ、前面装飾枠には少なくとも透光性を有する透光透明部が周縁部に設けられると共に、透光透明部の内側に開口部が設けられ、開口部と略同じ形状の透明部の周囲に装飾部を形成した透明板部材が、透明板挿入保持枠に着脱可能に挿入され、遊技者が前面装飾枠の透光透明部を通して透明板部材の装飾部を視認可能に構成されていることを特徴とする。
【０００８】
ここで、透明板部材には、透明板の周縁部表面に装飾部を印刷により形成することができる。また、透明板部材には、透明板の周縁部に嵌着した装飾枠部材の表面に装飾部を施すことができる。
【０００９】
さらに、透明板部材には、透明板の周縁部表面に、装飾を施した装飾フィルムを接着することができる。また、透明板部材は、重ね合わせた２枚の透明板の間に装飾部を挟み込み、その周縁に枠体を嵌着して形成することができる。さらに、遊技盤取付枠の前面に発光器を取り付け、透明板部材の装飾部を背面から発光器により照明するように構成することができる。
【００１０】
【作用】
このような構成のパチンコ遊技機は、遊技盤をその正面から見ると、透明板挿入保持枠の透明板部材と前面装飾枠の開口部を通して見ることができ、その周囲に、透明板部材の周縁部に設けた装飾部が配設されるから、遊技者は、前面装飾枠の透光透明部を通してその装飾部を見ることになり、パチンコ遊技機の装飾性を高め、遊技者の興味を引くことができる。また、遊技盤取付枠の前面に発光器を配置すれば、透明板部材の装飾部と前面装飾枠の透光透明部を、発光器が裏側から照明し、バックライトによる良好な装飾効果を上げることができる。
【００１１】
パチンコ遊技機を使用するパチンコホールでは、使用により遊技盤の汚れが目だってきた場合、或は一定期間経過した場合、新台入替えを行ない、パチンコ遊技機の遊技盤を新しいものと交換するが、その際、前面装飾枠と透明板挿入保持枠を開いて、透明板挿入保持枠に差し込まれている透明板部材を新しいものと交換する。この交換する新たな透明板部材には、古い透明板部材の装飾部と異なった装飾部を付したものを使用すれば、遊技盤と共にその周囲の装飾部も新しくなり、遊技者に充分な目新しさを感じさせることができる。
【００１２】
この際、交換する部材は、透明板部材のみであり、透明板挿入保持枠や前面装飾枠は、そのまま使用することができるから、従来の前面装飾枠を交換する場合に比べ、新台入替え時のコストを大幅に削減することができる。また、透明板部材の交換は、透明板挿入保持枠を開きそこに差し込むだけで、簡単に行なうことができる。
【００１３】
【発明の実施の形態】
以下、本発明の実施の形態を図面に基づいて説明する。図１はパチンコ遊技機の遊技盤取付枠１の斜視図を示している。遊技盤取付枠１は、図示しないパチンコ遊技機の木枠（本体枠）の前面にヒンジを介して開閉可能に装着されるもので、その上寄りに設けた矩形開口部１ａの内側には、図示しない遊技盤が固定金具を介して着脱可能に取り付けられる。
【００１４】
分解斜視図を示す図２、図３のように、遊技盤取付枠１は、概略的には、金属、合板或は合成樹脂で枠状に形成された枠本体の下部に、前板１５を開閉可能に装着し、前板１５の前面に上受け皿１７を設け、その下方の枠本体に、下受け皿１８とハンドル１６を設け、枠本体の自由端側の内側縦辺部に、シリンダ錠１４を持った施錠具１３を取り付けて構成される。遊技盤取付枠１の矩形開口部１ａの周囲前面には、後述のガラス枠３と前面装飾枠２を収納するための凹部が形成され、その凹部の周囲を囲うように、枠体が取り付けられる。また、遊技盤取付枠１の矩形開口部１ａの周縁部の前面に、ＬＥＤ、ランプ等の発光器７が取り付けられ、後述のガラス枠３の装飾部５ａと前面装飾枠２の透光透明部２ａを裏側から照明して装飾性を向上させるようにしている。
【００１５】
ガラス枠３は、図３に示すように、矩形枠状に形成されたガラス板挿入保持枠４内に、ガラス板部材５を着脱可能に収納して構成される。ガラス板挿入保持枠４は、金属或は合成樹脂により矩形枠状に形成されると共に、ガラス板部材５を上から挿入可能なように、その上辺にガラス板部材５を挿入するためのスリット穴４ａを設け、上から挿入されたガラス板部材５の周縁部を保持するための溝部４ｂを枠の内側に設けて形成される。
【００１６】
ガラス板挿入保持枠４の縦辺部にヒンジ１２のピン部１２ａが設けられ、ガラス板挿入保持枠４は遊技盤取付枠１の内側縦辺部に設けたヒンジ１２にそのピン部１２ａを嵌入して、開閉可能に支持される。ガラス板部材５はガラス板挿入保持枠４の内側に挿入可能な矩形形状と大きさに形成され、ガラス板部材５の周縁部には、各種の色彩を付した装飾図柄等からなる装飾部５ａが、印刷等により形成されている。ガラス板部材５は２枚のガラス板を重ね合わせて構成され、そのうちの１枚のガラス板の周縁部に装飾部５ａを形成する。装飾部５ａの内側のガラス板部材５の中央は透明部５ｂであり、遊技盤を取り付けた遊技盤取付枠１の前面所定位置にこのガラス枠３を配置したとき、ガラス板部材５の中央の透明部５ｂが遊技盤の表示面と一致するように、透明部５ｂの周囲に装飾部５ａが形成される。また、ガラス板部材５の装飾部５ａの自由端側にはシリンダ錠１４を通すための穴５ｄが設けられる。
【００１７】
このようなガラス板部材５をガラス板挿入保持枠４に保持させた構造のガラス枠３は、ヒンジ１２を介して遊技盤取付枠１の矩形開口部１ａの前面に、開閉可能に取り付けられ、そのガラス枠３の前面に、前面装飾枠２がヒンジ１１を介して遊技盤取付枠１に開閉可能に取り付けられる。
【００１８】
前面装飾枠２は、ガラス枠３とほぼ同じ前面形状を有し、矩形の金属枠２ｂの前面に透明合成樹脂で透光透明部２ａを枠状に成形し、透光透明部２ａの内側に開口部２ｃを設けて構成される。開口部２ｃはガラス板部材５の透明部５ｂと略同じ形状に形成され、前面からはこの開口部２ｃを通し透明部５ｂを通して遊技盤の前面を見ることになる。また、前面装飾枠２の透光透明部２ａは、ある程度の厚さを持ち、なだらかな凹凸の曲面を持って形成され、且つガラス板部材５の装飾部５ａと略同じ形状に形成される。前面装飾枠２の金属枠２ｂの上下の角部にヒンジ用のピン部１１ａが設けられ、そのピン部１１ａを遊技盤取付枠１のヒンジ１１に嵌合させることにより、前面装飾枠２は遊技盤取付枠１の前面でガラス枠３の前面側に開閉可能に装着される。前面装飾枠２の自由端側には、シリンダ錠１４のための穴２ｄが設けられる。
【００１９】
このような前面装飾枠２の透光透明部２ａを通して、ガラス枠３の装飾部５ａを見ると、透光透明部２ａのレンズ効果や光散乱効果により、良好な装飾性が得られるように、前面装飾枠２は構成される。なお、前面装飾枠２の透光透明部２ａは完全な透明体であってもよいが、不完全な透明体であってもよく、例えば着色された透光性を有するもの或は光を散乱させる透光性部材を使用することもできる。
【００２０】
このように構成された遊技盤取付枠１は、図示しないパチンコ遊技機の木枠（本体枠）の前面にヒンジを介して開閉可能に装着され、使用される。パチンコ遊技機の遊技盤は、その正面側から見ると、ガラス枠３の透明部５ｂと前面装飾枠２の開口部２ｃを通して見ることができ、その周囲に、ガラス枠３のガラス板部材５の周縁部に設けた装飾部５ａが配設され、遊技者は、前面装飾枠２の透光透明部２ａを通してその装飾部５ａを見ることになり、パチンコ遊技機の装飾性を高め、遊技者の興味を引くことができる。また、遊技盤取付枠１の矩形開口部１ａの周縁部の前面に配設された発光器７が発光するため、ガラス枠３の装飾部５ａと前面装飾枠２の透光透明部２ａを、裏側から照明し、バックライトによる良好な装飾効果を上げることができる。
【００２１】
このパチンコ遊技機を使用するパチンコホールでは、使用により遊技盤の汚れが目だってきた場合、或は一定期間経過した場合、新台入替えを行ない、パチンコ遊技機の遊技盤を新しいものと交換するが、その際、前面装飾枠２とガラス枠３を開いて、ガラス枠３のガラス板挿入保持枠４に差し込まれているガラス板部材５を新しいものと交換する。この交換する新たなガラス板部材には、古いガラス板部材５の装飾部５ａを異なった装飾部を付したものを使用すれば、遊技盤と共にその周囲の装飾部も新しくなり、遊技者に充分な目新しさを感じさせることができる。
【００２２】
この際、交換する部材は、ガラス板部材５のみであり、ガラス枠３のガラス板挿入保持枠４や前面装飾枠２は、そのまま使用することができるから、従来の前面装飾枠を交換する場合に比べ、新台入替え時のコストを大幅に削減することができる。また、ガラス板部材５の交換は、ガラス枠３を開き、ガラス板挿入保持枠４に差し込むだけで、簡単に行なうことができる。
【００２３】
なお、ガラス板部材５の装飾部５ａの一部に透明な透視穴を設け、その透視穴を通して、遊技盤の縁部の表示器（確率等を表示するもの）を視認するように構成することもできる。また、前面装飾枠２は、ガラス板挿入保持枠４の前面に一体的に取り付けることもできる。
【００２４】
図４〜図７は装飾部付きガラス板部材の他の実施形態を示している。図４の例は、装飾部を装飾枠部材２６として構成し、ガラス板２５の周囲に嵌着した例である。ガラス板２５は、２枚の板ガラスを重ね合わせ、その周囲を枠体２５ａで囲って形成される。装飾枠部材２６は、コ字状の下枠部材２６ａと上枠部材２６ｂとから構成され、ガラス板２５の下部には下枠部材２６ａがその縁部を下から覆うように嵌着され、ガラス板２５の上部には上枠部材２６ｂがその縁部を上から覆うように嵌着される。
【００２５】
つまり、下枠部材２６ａの内側にガラス板２５の縁部を嵌めるための溝部２６ｃが形成され、その溝部２６ｃにガラス板２５の縁部が嵌着される。また、上枠部材２６ｂの内側にも、ガラス板２５の縁部を嵌めるための溝部２６ｃが形成され、その溝部２６ｄにガラス板２５の縁部が嵌着される。下枠部材２６ａと上枠部材２６ｂの表面には、色彩模様や図柄等の装飾部２６ｄが印刷等により施されている。このように構成された装飾枠部材２６付きのガラス板部材は、上記実施形態と同様に、ガラス板挿入保持枠内に挿入・保持され、遊技盤取付枠の前面に開閉可能に装着される。
【００２６】
図５の例は、装飾部３６を透明フィルムに印刷して形成し、それをガラス板２５の周縁部に接着した例である。ガラス板２５は、上記と同様に、２枚の板ガラスを重ね合わせ、その周囲を枠体２５ａで囲って形成される。装飾部３６はガラス板２５と略同じ大きさの矩形形状の透明フィルム３６ａ上に、色彩模様や図柄等を矩形枠状に印刷して形成される。透明フィルム３６ａは、中央の透明部を裁断して除去し矩形枠状としてガラス板２５の表面に接着するが、中央の透明部を裁断・除去せずに、矩形のままガラス板２５の表面に接着することもできる。
【００２７】
図６、図７の例は、装飾部４６を透明フィルム等の上に印刷して形成し、それを２枚の板ガラス４７、４８の間に挟み込んで、装飾部付きのガラス板部材４５を形成した例である。図６に示すように、装飾部４６が透明フィルム等の基板上に色彩模様や図柄等を印刷して形成され、中央部を裁断・除去して装飾部４６は矩形枠状に形成される。
【００２８】
この装飾部４６の両面から、同様な矩形形状の板ガラス４７と４８が、挟み込むように重ねられ、その四方の辺部につまり板ガラス４７、４８と装飾部４６の四辺部に枠体４４がその辺部を囲うように嵌着される。枠体４４は、棒状の左右の枠４１と上下の略コ字状の枠４２とからなり、枠４１、４２の内側には板ガラス４７、４８と装飾部４６の縁部を嵌め入れる溝部４１ａ，４２ａが形成され、その外側端部には嵌着穴が設けられ、図７のように、枠４１、４２を板ガラス４７、４８と装飾部４６の縁部に嵌め込んだ状態で、止め具４３をその嵌着穴に嵌め込んで、枠体４４をガラス板４５の周縁部に取り付ける。このように構成された装飾部４６付きのガラス板４５は、上記実施形態と同様に、ガラス板挿入保持枠内に挿入・保持され、遊技盤取付枠の前面に開閉可能に装着される。
【００２９】
なお、上記実施形態において、ガラス板部材５、４５、ガラス板２５は２枚の板ガラスを重ね合わせて構成したが、１枚の板ガラスで構成することもできる。また、ガラス板や板ガラスは透明合成樹脂を使用することもできる。
【００３０】
【発明の効果】
以上説明したように、本発明のパチンコ遊技機によれば、遊技盤を入替える際に、透明板挿入保持枠に差し込まれている装飾部付きの透明板部材を新しいものと交換することができるから、遊技盤と共にその周囲の装飾部も新しくなり、遊技者に充分な目新しさを感じさせることができる。また、遊技盤と共に交換する部材は、透明板部材のみでよく、透明板挿入保持枠や前面装飾枠は、そのまま使用することができるから、従来のガラス板装飾枠を交換する場合に比べ、新台入替え時のコストを大幅に削減することができる。
【図面の簡単な説明】
【図１】本発明の一実施形態を示すパチンコ遊技機の遊技盤取付枠の斜視図である。
【図２】前面装飾枠を分解した状態の分解斜視図である。
【図３】前面装飾枠、ガラス板部材、ガラス板挿入保持枠を分解した状態の分解斜視図である。
【図４】装飾部付きガラス板部材の他の実施形態を示す分解斜視図である。
【図５】装飾部付きガラス板部材の他の実施形態を示す分解斜視図である。
【図６】装飾部付きガラス板部材の他の実施形態を示す分解斜視図である。
【図７】装飾部付きガラス板部材の他の実施形態を示す組付斜視図である。
【符号の説明】
１−遊技盤取付枠
２−前面装飾枠
２ａ−透光透明部
３−ガラス枠
４−ガラス板挿入保持枠
５−ガラス板部材
５ａ−装飾部
５ｂ−透明部
【図１】
0003806798.tif 000002
【図２】
0003806798.tif 000003
【図３】
0003806798.tif 000004
【図４】
0003806798.tif 000005
【図５】
0003806798.tif 000006
【図６】
0003806798.tif 000007
【図７】
0003806798.tif 000008